(57)【特許請求の範囲】
【請求項１】
インクジェットヘッドをプラテン上をＹ方向に移動させたり、前記プラテン上を布地をＸ方向に移動させたりしながら、前記インクジェットヘッドに備えられたノズルから捺染用のインクを噴射させて、そのインクにより前記布地に捺染を施すインクジェットプロッタにおいて、
前記インクジェットヘッドに備えられたノズルが走行する走行路の直下のプラテン上面のＹ方向に、インク受け溝がその底部をプラテン上面より下方に位置させて設けられて、そのインク受け溝に前記ノズルから噴射されてその直下の布地を通して布地下方に滴下するインクを受けて集めることができるよう構成されたことを特徴とするインクジェットプロッタ。
【請求項２】
前記インク受け溝底面の横断面形状がほぼＶ字状に形成されて、そのインク受け溝底面の最下部にインク排出孔がインク排出路に連通させて設けられた請求項１記載のインクジェットプロッタ。
【請求項３】
前記インク受け溝底面の横断面形状がほぼＶ字状に形成されて、そのインク受け溝底面の最下部にインク排出孔がインク吸引装置に連通させて設けられた請求項１記載のインクジェットプロッタ。
【請求項４】
前記インク受け溝底面に、インク吸収体が交換可能に敷設された請求項１記載のインクジェットプロッタ。
【発明の詳細な説明】
【０００１】
【発明の属する技術分野】
本発明は、インクジェットヘッドに備えられたノズルから噴射されるインクにより、プラテン上に搭載された布地に捺染を施すインクジェットプロッタに関する。
【０００２】
【従来の技術】
近時は、布地の捺染作業の容易化、迅速化を図る目的で、インクジェットプロッタを用いて布地に捺染を施すことが盛んに行われている。
【０００３】
この布地に捺染を施すのに用いるインクジェットプロッタは、一般に、図５に示したような、構造をしている。
このプロッタでは、布地１０をＸ方向に移動可能に搭載するプラテン２０が備えられている。プラテン２０は、Ｙ方向（図の表裏面方向）に長いほぼ逆樋状をしている。プラテン２０上には、インクジェットヘッド４０が、ガイドレール３０を介して、Ｙ方向に移動可能に支持されている。プラテン２０の両側には、送りローラ５０と押さえローラ６０とが上下に対向させてＸ方向に回転可能に支持されている。送りローラ５０は、プラテン２０の内側に配置されている。送りローラ５０の上端周囲面は、プラテン２０に設けられた長孔２２を通して、プラテン２０上に露出している。送りローラ５０には、該送りローラをＸ方向に回転させる回転手段７０が連結されている。押さえローラ６０は、プラテン２０の外側に配置されている。
【０００４】
このインクジェットプロッタにおいては、プラテン２０上に布地１０を搭載して、その布地１０の両側を長孔２２を通してプラテン３２０上に露出した送りローラ５０と押さえローラ６０との間に挟持できる。そして、プラテン２０の両側に備えられた送りローラ５０を回転手段７０により同一方向に同一速度で同期回転させることにより、そのプラテン２０両側の送りローラ５０と押さえローラ６０との間にその両側が挟持された布地１０を、プラテン２０上をＸ方向に移動させることができる。それと共に、インクジェットヘッド４０を、ガイドレール３０に沿ってプラテン２０上をＹ方向に移動させることができる。そして、インクジェットヘッド４０を、布地１０上をＸ−Ｙ方向に相対的に移動させることができる。また、インクジェットヘッド４０に備えられたノズル８０からは、捺染用のインクをプラテン２０方向に噴射させることができる。そして、インクジェットヘッド４０を布地１０上をＸ−Ｙ方向に相対的に移動させながら、インクジェットヘッド４０に備えられたノズル８０から捺染用のインクを噴射させることにより、そのインクにより布地１０に種々の模様の捺染を施すことができる。
【０００５】
【発明が解決しようとする課題】
しかしながら、上記のインクジェットプロッタを用いて、布地１０に捺染を施した場合には、そのインクジェットヘッド４０に備えられたノズル８０から噴射させた捺染用のインクの一部が、ノズル８０直下の布地１０を通して、布地１０下方に滴下して、布地１０をＸ方向に移動させるプラテン２０上面に付着し、プラテン２０上面を汚してしまった。
【０００６】
その結果、その捺染用のインクにより汚れたプラテン２０上をＸ方向に移動させる布地１０の種々の箇所に、布地１０下方に滴下した捺染用のインクが付着して、そのインクにより布地１０の種々の箇所が汚れてしまった。
【０００７】
このことは、女性用のスカーフ布地等の薄い布地１０に、上記のインクジェットプロッタを用いて、捺染を施した場合に顕著に生じた。
【０００８】
本発明は、このような課題を解消可能な、捺染用のインクジェットプロッタを提供することを目的としている。
【０００９】
【課題を解決するための手段】
上記の目的を達成するために、本発明のインクジェットプロッタは、インクジェットヘッドをプラテン上をＹ方向に移動させたり、前記プラテン上を布地をＸ方向に移動させたりしながら、前記インクジェットヘッドに備えられたノズルから捺染用のインクを噴射させて、そのインクにより前記布地に捺染を施すインクジェットプロッタにおいて、
前記インクジェットヘッドに備えられたノズルが走行する走行路の直下のプラテン上面のＹ方向に、インク受け溝がその底部をプラテン上面より下方に位置させて設けられて、そのインク受け溝に前記ノズルから噴射されてその直下の布地を通して布地下方に滴下するインクを受けて集めることができるよう構成されたことを特徴としている。
【００１０】
このインクジェットプロッタにおいては、インクジェットヘッドに備えられたノズルが走行する走行路の直下に当たるプラテン上面のＹ方向に、インク受け溝が設けられている。
そのため、そのインクジェットヘッドに備えられたノズルから噴射されて、ノズル直下の布地を通して、布地下方に滴下するインクを、上記のインク受け溝に受けて集めることができる。そして、布地下方に滴下したインクが、布地を移動させるプラテン上面に付着して、プラテン上面を汚すのを防止できる。
また、上記のインク受け溝は、その底部をプラテン上面より下方に位置させて設けられているため、プラテン上をＹ方向に移動させる布地に、インク受け溝に受けて集めたインクが付着して、そのインクにより布地が汚れるのを防ぐことができる。
【００１１】
本発明のインクジェットプロッタにおいては、前記インク受け溝底面の横断面形状がほぼＶ字状に形成されて、そのインク受け溝底面の最下部にインク排出孔がインク排出路に連通させて設けられた構造とすることを好適としている。
【００１２】
このインクジェットプロッタにあっては、布地下方に滴下したインクであって、インク受け溝に受けたインクを、その横断面形状がほぼＶ字状に形成されたインク受け溝底面の最下部に的確に集めることができる。そして、その集めたインクを、インク受け溝底面の最下部に設けられたインク排出孔を通して、該インク排出孔に連通するインク排出路に排出できる。そして、そのインク受け溝に溜まったインクが、インク受け溝外部に溢出する等して、プラテン上面に付着し、プラテン上を移動させる布地を汚すのを確実に防ぐことができる。
【００１３】
また、本発明のインクジェットプロッタにおいては、前記インク受け溝底面の横断面形状がほぼＶ字状に形成されて、そのインク受け溝底面の最下部にインク排出孔がインク吸引装置に連通させて設けられた構造とすることを好適としている。
【００１４】
このインクジェットプロッタにあっては、布地下方に滴下したインクであって、インク受け溝に受けたインクを、その横断面形状がほぼＶ字状に形成されたインク受け溝底面の最下部に的確に集めることができる。そして、その集めたインクを、インク受け溝底面の最下部に設けられたインク排出孔を通して、該インク排出孔に連通するインク吸引装置に強制的に排出できる。そして、そのインク受け溝に溜まったインクが、インク受け溝外部に溢出する等して、プラテン上面に付着し、プラテン上を移動させる布地を汚すのを確実に防ぐことができる。
【００１５】
また、本発明のインクジェットプロッタにおいては、前記インク受け溝底面に、インク吸収体が交換可能に敷設された構造とすることを好適としている。
【００１６】
このインクジェットプロッタにあっては、布地下方に滴下したインクであって、インク受け溝に受けたインクを、そのインク受け溝底面に敷設されたインク吸収体に的確に吸収させることができる。そして、そのインク受け溝に溜まったインクが、インク受け溝外部に溢出する等して、プラテン上面に付着し、プラテン上を移動させる布地を汚すのを確実に防ぐことができる。
また、インク吸収体は、インク受け溝底面に交換可能に敷設されているため、インク吸収体がインクを多量に吸収してインクの吸収能力が低下した場合には、そのインク吸収体を、インクの吸収力を充分に持つ他の新たなインク吸収体に交換できる。
【００１７】
【発明の実施の形態】
次に、本発明の実施の形態を図面に従い説明する。
図１は本発明のインクジェットプロッタの好適な実施の形態を示し、図１はその概略構造説明図である。以下に、このインクジェットプロッタを説明する。
【００１８】
図のインクジェットプロッタでは、インクジェットヘッド４０に備えられたノズル８０が走行する走行路の直下に当たるプラテン２０上面のＹ方向に、横断面形状がほぼＵ字状をしたインク受け溝１００が、その底部をプラテン１０上面より下方に位置させて設けられている。そして、そのインク受け溝１００に、ノズル８０から噴射されて、その直下の布地１０を通して、布地１０下方に滴下するインクを受けて集めることができるように構成されている。
【００１９】
その他は、図５に示したインクジェットプロッタと同様に構成されている。
このインクジェットプロッタにおいては、そのインクジェットヘッド４０に備えられたノズル８０から噴射されて、ノズル８０直下の布地１０を通して、布地１０下方に滴下するインクを、上記のインク受け溝１００に受けて集めることができる。そして、その布地１０下方に滴下したインクが、布地１０を移動させるプラテン２０上面に付着して、プラテン２０上面を汚すのを防止できる。
また、上記のインク受け溝１００は、その底部をプラテン２０上面より下方に位置させて設けられていて、プラテン２０上をＹ方向に移動する布地１０に、インク受け溝１００に受けて集めたインクが付着して、そのインクにより布地１０が汚れるのを防ぐことができる。
【００２０】
上述のインクジェットプロッタにおいては、図２に示したように、インク受け溝１００底面の横断面形状をほぼＶ字状に形成すると良い。インク受け溝１００底面の最下部には、インク排出孔１１０を、インク排出路１２０に連通させて設けると良い。
そして、布地１０の下方に滴下したインクであって、インク受け溝１００に受けたインクを、その横断面形状がほぼＶ字状に形成されたインク受け溝１００底面の最下部に的確に集めることができるようにすると良い。そして、そのインクを、インク受け溝１００底面の最下部に設けられたインク排出孔１１０を通して、該インク排出孔に連通するインク排出路１２０に的確に排出できるようにすると良い。そして、インク受け溝１００に溜まったインクが、インク受け溝１００外部に溢出する等して、プラテン２０上面に付着し、プラテン２０上を移動させる布地１０を汚すのを確実に防ぐことができるようにすると良い。
【００２１】
また、上述のインクジェットプロッタにおいては、図３に示したように、前記インク受け溝１００底面の横断面形状をほぼＶ字状に形成して、そのインク受け溝１００底面の最下部にインク排出孔１１０をインク吸引装置１３０に連通させて設けても良い。
そして、布地１０の下方に滴下したインクであって、インク受け溝１００に受けたインクを、その横断面形状がほぼＶ字状に形成されたインク受け溝１００底面の最下部に集めて、そのインクを、インク受け溝１００底面の最下部に設けられたインク排出孔１１０を通して、該インク排出孔に連通するインク吸引装置１３０に強制的に的確に排出できるようにしても良い。そして、そのインク受け溝１００に溜まったインクが、インク受け溝１００外部に溢出する等して、プラテン２０上面に付着し、プラテン２０上を移動させる布地１０を汚すのを確実に防ぐことができるようにしても良い。
【００２２】
また、上述のインクジェットプロッタにおいては、図４に示したように、インク受け溝１００底面に、インク吸収体１４０を交換可能に敷設しても良い。
そして、布地１０の下方に滴下したインクであって、インク受け溝１００に受けたインクを、そのインク受け溝１００底面に敷設されたインク吸収体１４０に的確に吸収させることができるようにしても良い。そして、そのインク受け溝１００に溜まったインクが、インク受け溝１００外部に溢出する等して、プラテン２０上面に付着し、プラテン２０上を移動させる布地１０を汚すのを確実に防ぐことができるようにしても良い。
それと共に、インク吸収体１４０がインクを多量に吸収してインクの吸収能力が低下した場合には、そのインク吸収体１４０を、インクの吸収能力を充分に持つ他の新たなインク吸収体１４０に交換できるようにしても良い。そして、インク吸収体１４０のインクの吸収能力を元通り回復できるようにしても良い。
【００２３】
【発明の効果】
以上説明したように、本発明のインクジェットプロッタによれば、インクジェットヘッドに備えられたノズルから噴射された捺染用のインクであって、ノズル直下の布地を通して、布地下方に滴下するインクを、その底部がプラテン上面より下方に位置するインク受け溝に受けて集めることができる。そして、その布地下方に滴下したインクが、プラテン上面に付着して、プラテン上面を汚すのを確実に防ぐことができる。そして、そのプラテン上面に付着したインクが、プラテン上をＸ方向に移動させる布地に付着して、その布地を汚すのを確実に防ぐことができる。
【図面の簡単な説明】
【図１】本発明のインクジェットプロッタの概略構造説明図である。
【図２】本発明のインクジェットプロッタのインク受け溝部分の拡大構造説明図である。
【図３】本発明のインクジェットプロッタのインク受け溝部分の拡大構造説明図である。
【図４】本発明のインクジェットプロッタのインク受け溝部分の拡大構造説明図である。
【図５】従来のインクジェットプロッタの概略構造説明図である。
【符号の説明】
１０  布地
２０  プラテン
３０  ガイドレール
４０  インクジェットヘッド
５０  送りローラ
６０  押さえローラ
７０  回転手段
８０  ノズル
１００  インク受け溝
１１０  インク排出孔
１２０  インク排出路
１３０  インク吸引装置
１４０  インク吸収体
【図１】
0004333969.tif 000002
【図２】
0004333969.tif 000003
【図３】
0004333969.tif 000004
【図４】
0004333969.tif 000005
【図５】
0004333969.tif 000006